(57)【要約】  本発明の昇降フレーム（２）は，シート材のパック（２４４）を移送可能であり，第１及び第２脚部（４，５）を含み，各脚部には足（８，１０）が取り付けられている。移送すべきパックを足上に載置し，パックをその前後主要面に接触可能なフィンガ対によりフレーム上に保持する。一対のフィンガ（４８，５０）を，他のフィンガ対でフレーム上のパックを保持する間に持ち上げ可能とする。これにより，パックをフレーム（２）の何れの側からも取り出すことができ，単一の持ち上げ操作でパックの向きを反端させることが可能である。本発明は，この昇降フレームを使用するパックの移動方法も提案している。
2009539722.tif 000002
【特許請求の範囲】
【請求項１】
一縁部上に略垂直姿勢をもって載置されたシート材のパックを移送可能な昇降フレームであって：該昇降フレームを，その持ち上げ手段に取り付ける手段と；第１及び第２の脚部と；各脚部に取り付けられてパックの底部を支持する下部支持手段と；パックの移動時にパックを昇降フレーム上に保持するよう位置決めされる保持手段と；パックを昇降フレームから取り外し可能とする位置まで保持手段を移動させる解放手段とを具える昇降フレームにおいて，第１及び第２の脚部を十分に離隔させてそれらの間にパックの主要面を収容可能としたことを特徴とする昇降フレーム。
【請求項２】
パックを昇降フレームの何れの側からも取り外し可能とした，請求項１に記載の昇降フレーム。
【請求項３】
少なくとも一つの保持手段を各脚部に配置した，請求項１又は２に記載の昇降フレーム。
【請求項４】
保持手段を支持フレームに配置した，請求項３に記載の昇降フレーム。
【請求項５】
第１及び第２の脚部をクロスメンバに取り付けた，請求項１〜４の何れか一項に記載の昇降フレーム。
【請求項６】
第１及び第２の脚部をクロスメンバに固定した，請求項５に記載の昇降フレーム。
【請求項７】
保持手段をクロスメンバに取り付けた，請求項５又は６に記載の昇降フレーム。
【請求項８】
保持手段を支持フレームに取り付けた，請求項７に記載の昇降フレーム。
【請求項９】
保持手段をパックの一面又は両面と接触可能とした，請求項１〜８の何れか一項に記載の昇降フレーム。
【請求項１０】
保持手段をパックの面の縁部近傍で該面と接触可能とした，請求項９に記載の昇降フレーム。
【請求項１１】
解放手段により保持手段を第１及び第２位置間で切替えて，パックをフレームの何れの側からも取り外し可能とした，請求項１〜１０の何れか一項に記載の昇降フレーム。
【請求項１２】
脚部を固定間隔で離隔させた，請求項１１に記載の昇降フレーム。
【請求項１３】
少なくとも一対の対向する保持手段を具え，該保持手段をパックの対向する面と接触可能とした，請求項１〜１２の何れか一項に記載の昇降フレーム。
【請求項１４】
保持手段をフィンガ形状に形成した，請求項１〜１３の何れか一項に記載の昇降フレーム。
【請求項１５】
少なくとも一つの保持手段をパックの重心よりも上方に配置した，請求項１〜１４の何れか一項に記載の昇降フレーム。
【請求項１６】
第１及び第２の脚部を共面内に配置した，請求項１〜１５の何れか一項に記載の昇降フレーム。
【請求項１７】
脚部をクロスメンバに対して垂直に配置した，請求項１〜１６の何れか一項に記載の昇降フレーム。
【請求項１８】
請求項１〜１７の何れかに一項に記載の昇降フレームを使用して，一縁部上に略垂直姿勢をもって装架されたシート材のパックを移送する方法であって，第１及び第２の脚部間でパックを下部支持手段上に載置し，少なくとも一つの保持手段を位置決めしてパックを保持し，昇降フレームを持ち上げて所要の位置まで移動させ，解放手段を操作してパックを昇降フレームから取り外し可能とする移送方法。
【請求項１９】
パックをフレームの任意の側から取り外す，請求項１８に記載の移送方法。
【請求項２０】
パックにおける各シートの厚みを１〜２５ｍｍとする，請求項１８又は１９に記載の移送方法。
【請求項２１】
パックをガラスシートのパックとし，パックにおける各シートの厚みを１〜６ｍｍとする，請求項２０に記載のシート材パックの移送方法。
【請求項２２】
実質的に明細書本文に記載され，かつ，図１２，１３，１４，１５，１６，１７，１８および１９の何れかに示す昇降フレーム。
【発明の詳細な説明】
【技術分野】
【０００１】
本発明は，一縁部上に略垂直姿勢をもって装架されたシート材のパックを担持可能な，改良された昇降フレームに関するものであり，また，該昇降フレームを使用してシート材のパックを移送する移送方法に関するものでもある。
【背景技術】
【０００２】
板ガラスを，例えばフロート法又は圧延法で連続的に製造する場合，ガラスの連続リボンを形成し，その連続リボンを除冷して応力を除去した後，シートに切断する。切断したシートは，ロボットによりＬ字状の保持フレーム，いわゆる「載置台」上に略垂直姿勢で自動的に積み重ねられる。載置台は，下側の支持底部と，シートが積み重ねられる実質的に垂直な直立部分とを有する。支持底部と直立部分とは，通常は互いに垂直に配置されている。また，支持底部は水平面に対して通常はある角度で傾斜しており，その際に底部の前縁が後縁よりも高い位置にある。シートは，垂線に対して１０°未満の角度，典型的には３°〜７°の角度で直立部分に寄り掛からせる。底部の幅がシートの幅よりも通常は小さいので，シートは底部からその両側に突出する。ガラスシートは，載置台上においても通常は同様の向きで，即ち各シートの上面又は底面を前向きとして載置される。フロート法で製造される板ガラスに関し，ガラスシートの底面は，フロートバスにおける熔融錫との接触面を意味する。フロートガラスの上面は，オンラインコーティング法，例えば，フロートバス内における大気圧下での化学蒸着法で成膜されたコーティングを有する場合がある。
【０００３】
ガラスシートはパックに積み重ねられ，１パックにおけるシート枚数は，パックの事後的な移送をより容易にするために通常は制限されている。隣接するパックは適当な材料，例えばボール紙やポリスチレンから作られるスペーサにより，互いに分離されている。
【０００４】
１パックのガラスシートを倉庫内の貯蔵場所へ移送するために，しばしば「ガラス・グラブ」と称される昇降フレームが使用されている。昇降フレームは，通常は２本の垂直な細長部材又は脚部を具え，これら脚部はそれぞれの上端で水平クロスメンバに結合されている。脚部の下端には，通常は一対の足として構成されている支持手段が固定され，この支持手段上にパックの底縁部が載置される。通常は一対の上側保持アームが設けられ，これらの保持アームは，パックの上縁部及び最後部のシートの上部後方と係合して，移送時におけるパックの安定性を高めている。その状態で昇降フレームを，例えばクレーンホイストにより移動させ，昇降フレーム上に載置されたガラスシートのパックを荷降しのために所望の位置まで移送する。この種の昇降フレームは，例えば欧州特許第００８０２６４号明細書に記載されている。
【先行技術文献】
【特許文献】
【０００５】
【特許文献１】欧州特許第００８０２６４号明細書
【０００６】
パックが第２載置台上に載置され，上側保持アームの係合を解除し，フレームを載置大から移動させることによりパックを解放する。パックをフレーム上に載置する際に前向きとされていたパックの面は，第２載置台上に載置され，フレームから解放されたときにも前向きとされている。
【０００７】
パックを第２載置台上に載置する際にその向きを反転させ，第１載置台上で前向きとされていたパックの面を，第２載置台上では後向きとする必要性が生じる場合がある。このような操作は，ガラスシートがその一面上にコーティングを有する場合や，錫のバスと非接触であったガラス面について二次的な処理が，場合により特に適当であり，又は不適当である場合に必要とされることがある。錫のバス上でリボンを形成する際，錫のバスからの錫がガラスリボンの底面中に拡散することは，当業界において既知である。
【０００８】
パックの向きを反転させるためには，先ずパックを保持載置台上にに載置する必要がある。
次に，フレームをパックの周りで移動させ，ガラスシートに他側から係合させる。さらに，パックを所望の位置まで移送し，前向きとされていた面を後向きとした状態で第２載置台上に載置する。このような操作は時間及び労力を要するものであり，ガラスのパックを移送する都度，ガラスの損傷や作業人員の傷害の高度の危険性がある。
【発明の概要】
【発明が解決しようとする課題】
【０００９】
本出願人は，シート材のパックの向きを単一の持ち上げ操作により反転し得るように昇降フレームを構成することが可能であることを発見して，本発明を完成させたものである。この場合，フレームは，パックがフレームの脚部の間に収められるように構成する。
【課題を解決するための手段】
【００１０】
第１の態様によれば，本発明は，一縁部上に略垂直姿勢をもって載置されたシート材のパックを移送可能な昇降フレームを提案するものであり，特に，該昇降フレームを，その持ち上げ手段に取り付ける手段と；第１及び第２の脚部と；各脚部に取り付けられてパックの底部を支持する下部支持手段と；パックの移動時にパックを昇降フレーム上に保持するよう位置決めされる保持手段と；パックを昇降フレームから取り外し可能とする位置まで保持手段を移動させる解放手段とを具える昇降フレームにおいて，第１及び第２の脚部を十分に離隔させてそれらの間にパックの主要面を収容可能としたことを特徴とする。好ましくは，保持手段は，パックを昇降フレームの何れの側からも取り外し可能とする位置まで移動可能とする。
【００１１】
保持手段は，パックの転倒及び／又はパック底部の下部支持手段からの滑落を防止するものである。好ましくは，少なくとも１つの保持手段をパックの重心よりも上方に配置する。より好ましくは，少なくとも一つの他の保持手段をパックの重心の下方に配置する。
【００１２】
好ましくは，少なくとも１つの保持手段を，フレームの各脚部に配置する。保持手段は，支持フレーム上に配置することができる。保持手段は，その表面の縁部近傍でパックの一面又は両面と接触可能である。
【００１３】
好適な実施例において，第１及び第２の脚部はクロスメンバに取り付ける。それにより，パックを下部支持手段上に載置したときに，パックの表面がクロスメンバにより妨げられることはない。好ましくは，脚部は解放可能な取り付け手段によりクロスメンバに取り付ける。その結果，昇降フレームを，寸法の異なるパックを移送するために使用することができる。好ましくは，脚部の間隔を可変とする。例えば，脚部の一方又は双方をクロスメンバに対して摺動可能に取り付けることができる。クロスメンバは，伸縮式としてもよい。昇降フレームにより高さの異なるパックを移送可能とするために，クロスメンバと下部支持手段との間隔を可変とすることができる。好ましくは，脚部は，クロスメンバに対して略垂直に配置する。
【００１４】
好ましくは，保持手段をクロスメンバに取り付ける。更に好ましくは，その保持手段を支持フレームに取り付ける。
【００１５】
脚部は，固定間隔で離隔させることができる。この実施例において，好ましくは，保持手段を，脚部間のスペース内に十分に入り込んでガラスのパックの一面又は両面に接触する第１位置と，そこまで入り込むことのない第２位置との間で切り替え可能とする。
【００１６】
異なる厚みのパックを持ち上げ可能とするために，フレームは，パックの一方の面に接触可能な第１の保持手段と，他方の面に接触可能な，対向配置された第２の保持手段と，これらの対をなす保持手段の間隔を可変とする手段とを具える構成とすることができる。好ましくは，下部支持手段の面積を可変とする。更に好ましくは，二次的な下部支持手段を一方の下部支持手段と係合させて，パックの底部を支持できる面積を増加させる。その代りに，下部支持手段を着脱可能とし，より大面積の下部支持手段と置換させることもできる。
【００１７】
通常，下部支持手段は脚部に固定する，しかし，他の実施例では，下部支持手段を，フレームが持ち上げられたときにパックの底部を支持することが可能な第１位置と，フレームが持ち上げられたときに下部支持手段がパックの底部を支持することが不可能な第２位置との間で切り替え可能とする。下部支持手段は，着脱可能に取り付け，又は旋回可能に取り付け，又は回動可能に取り付ける。下部支持手段は，昇降フレームがパックに対して，主要面に向けて，又は上方から接近できるように取り付けることができる。この場合，昇降フレームはパックが脚部の間に位置するように位置決め可能であり，下部支持手段はパックの底縁より低い位置を占めるように回動させ，又は旋回させ，又は位置決めすることができる。その状態で，昇降フレームを持ち上げて下部支持手段をパックの底縁と接触するまで上昇させ，パックを持ち上げ可能とすることができる。
【００１８】
下部支持手段は，各脚部に取り付けることができる。それらは，脚部に着脱可能に取り付けることができる。下部支持手段は，１つのパックを支持する第１位置と，１つ以上のパックを支持する第２の位置との間で移動可能とすることができる。
【００１９】
第１及び第２の脚部は，好ましくは同一面内に配置する。
【００２０】
好ましくは，本発明に係る昇降フレームを移動手段に結合する際に，昇降フレームは垂線に対して２０°未満，望ましくは１０°未満の所定角度で傾斜させることができる。パックが下部支持手段上に載置され，昇降フレームが持ち上げられる際には，昇降フレームが結合手段から垂下してパックを略垂直とするように構成することができる。
【００２１】
通常，シート材のパックは，
隣接する面を互いに接触させて積み重ねた２枚以上の，実質的に同一のシートからなる。各シートは，厚みＴｓを有する。概して，パックのシート枚数は，パックの厚みＴｐがシートの主要面の長さ又は幅より小さくなるように定める。パックの厚みＴｐがパックの主要面の長さ又は幅より小さく，例えば主要面の幅又は長さの半分以下であり，かつ，パックが略垂直に積み重ねられる場合，パックは，適切に支持しない限り，特に移送に際して比較的不安定で転倒し易い。
【００２２】
パックの表面は，適切な材料の板により保護することができる。パックにおける最外側のシートは，パックの他のシートと同じ寸法又は異なる寸法を持たせることができる。
【００２３】
通常，多数のシート材料パックが積み重ねられ，隣接したパック相互間には適切な材料（例えばボール紙又はポリスチレン）で作られたスペーサにより隙間が形成されている。好ましくは，下部支持手段上にパックを保持する手段は，隣接したパック相互間の隙間に適合可能である。パックは，通常はスタンド上に支持され，このスタンドはパックを床面から持ち上げているものである。
【００２４】
第２の態様によれば，本発明は，上述した昇降フレームを使用して，一縁部上に略垂直姿勢をもって装架されたシート材のパックを移送する方法を提案するものであり，特に，第１及び第２の脚部間でパックを下部支持手段上に載置し，少なくとも一つの保持手段を位置決めしてパックを保持し，昇降フレームを持ち上げて所要の位置まで移動させ，解放手段を操作してパックを昇降フレームから取り外し可能とすることを特徴とする。この場合，パックはフレームの任意の側から取り外し可能とすることができる。
【００２５】
以下，本発明を図示の実施形態について更に詳述する。なお，各図を通じて，対応する構成要素は同一の参照数字を附して表わすものとする。
【図面の簡単な説明】
【００２６】
【図１】下部支持手段上でパックを保持する保持手段を省略して本発明に係る昇降フレームを示す斜視図である。
【図２】昇降フレームの脚部に取り付けた支持フレームを全開位置で示す昇降フレームの側面図である。
【図３】脚部に取り付けた支持フレームを部分的な閉鎖位置で示す昇降フレームの側面図である。
【図４】保持手段をパックの主要面と接触させる位置で示す，図３の支持フレームの正面図である。
【図５】保持手段をパックの主要面と接触させる位置で示す，図３の支持フレームの側面図である。
【図６】保持手段をパックの主要面と接触させない位置で示す，図３の支持フレームの正面図である。
【図７】保持手段をパックの主要面と接触させない位置で示す，図３の支持フレームの側面図である。
【図８】脚部に取り付けた代替的な支持フレームを全開位置で示す正面図である。
【図９】図８の支持フレームを部分的な閉鎖位置で示す正面図である。
【図１０】図８の支持フレームを，保持手段を取り付けた状態で示す正面図である。
【図１１】図８の支持フレームを，保持手段を取り付けた状態で示す側面図である。
【図１２】図１０及び１１の支持フレームを組み込んだ昇降フレームの要部を示す斜視図である。
【図１３】保持手段をシート材のパックの後面と接触させる位置で示す昇降フレームの正面図である。
【図１４】図１３の昇降フレームを，脚部の間にシート材のパックを位置させた状態で示す正面図である。
【図１５】図１３の昇降フレームを，シート材のパックが持ち上げ可能な位置にあり，かつ，前後両面から安定化させた状態で示す正面図である。
【図１６】保持手段を各脚部に直接取り付けた昇降フレームの斜視図である。
【図１７】脚部をクロスメンバに可動に取付けた実施例に係る昇降フレームの線図的な正面図である。
【図１８】図１７の昇降フレームを，シート材のパックが持ち上げ可能な位置にある状態で示す線図的な正面図である。
【図１９】保持手段をパックの主要面より上方でクロスメンバに取り付けた他の実施例の斜視図である。
【発明を実施するための形態】
【００２７】
図１は昇降フレーム２を示し，この昇降フレーム２は，第１の垂直脚部４と，第２の垂直脚部６とを有する鋼製フレームで構成されている。明確を期するため，昇降フレームは，パックを脚部上で保持する保持手段を除外して示されている。第１の脚部４の端部に第１の足８が取り付けられ，第２の脚部６の端部には第２の足１０が取り付けられている。足８，１０は，脚部４，６に対して着脱可能とされている。足８，１０は，図示しないボルトにより所定位置に取り付けるものである。第１及び第２の脚部４，６は，水平クロスメンバ１２に結合されている。第１及び第２の脚部４，６は，クロスメンバ１２に固定する。
脚部４，６は十分に離隔して配置されており，それらの間にパックの主要面を収容可能としている。クロスメンバ１２には，クレーン又はホイストに連結される持ち上げシャシ１４が結合されている。クレーン又はホイストは，所要の位置間で昇降フレームを移送するものである。
【００２８】
図２は昇降フレームの側面図であり，鋼製の支持フレーム１６が脚部４，６上に取り付けられている状態を示す。支持フレーム１６は，２本の平行なクロスメンバ１８，２０と，２本の平行な垂直材２２，２４で構成されている。これら４本の部材は，リベット２６，２８，３０，３２により結合されている。支持フレーム１６は，リベット３４，３６により脚部４に取り付けられている。垂直材２２，２４の間隔を可変とするため，支持フレーム１６はリベット３４，３６を中心として回動可能とされている。調整リンク３８が一端でクロスメンバ２０及び垂直材２４に結合され，他端では脚部４に結合されている。ねじ（図示せず）が脚部４に取り付けられており，調整リンク３８のスロット４０を貫通している。スパイダ４２は，このねじと適合する中心ねじ部を有しており，ねじを締め付けた状態で調整リンク３８を所定位置に保持する。垂直材２２，２４の間隔を変化させるには，スパイダ４２を緩め，所望の間隔が達成されるように調整リンク３８を下向きに摺動させる。
【００２９】
図３は，スパイダ４２を緩め，調整リンク３８を下向きに摺動させた後にスパイダ４２を再度締め付けて２本の垂直材２２，２４の間隔を減少させた状態で，図２の支持フレーム１６を示すものである。
【００３０】
図４は，支持フレーム１６及び保持手段４６の正面図である。明確を期するため，一方の垂直材２４のみについて保持手段４６を示しているが，他方の垂直材２２についても同一の構成とされている。また，図示は省略されているが，同一の支持フレーム１６を脚部６にも取り付ける。保持手段４６は，上側フィンガ４８及び下側フィンガ５０を含む。上側フィンガ４８は，孔５２を貫通する止めねじ（図示せず）により垂直材２４に取り付け，スペーサ５４を介して垂直材２４から間隔を置いて配置されている。同様に，下側フィンガ５０は，孔５６を貫通する止めねじ（図示せず）により垂直材２４に取り付け，スペーサ５８を介して垂直材２４から間隔を置いて配置される。作動手段４６は，上側フィンガ４８及び下側フィンガ５０に結合された金属製ロッド６０を具えている。ロッド６０は，ロッド支持部６２，６４を経て垂直材２４に結合している。ロッド６０は，ロッド支持部６２，６４の孔を貫通しており，ロッド支持部６２を貫通する摘みねじ６６により所定位置に保持される。上側フィンガ４８は，スペーサ６８を介して孔７０を貫通する止めねじにより，ロッド６０の一端に結合している。下側フィンガ５０は，スペーサ７２を介して孔７４を貫通す止めねじにより，ロッド６０の他端に結合している。ロッド６０を上下に動かすと，保持手段としてのフィンガ４８，５０を作動させることができる。
【００３１】
図５は，支持フレーム１６及び保持手段４６の側面図である。同図に示すように，ロッド支持部６２，６４は垂直材２４に固定されている。各フィンガ４８，５０は，矩形の本体部分４８ａ，５０ａと端部４８ｂ，５０ｂとを具え，その端部４８ｂ，５０ｂはフィンガが図示の下方位置にあるときに，パックの表面と接触する構成とされている。上側フィンガ４８及び下側フィンガ５０は，ロッド６０によって結合される。摘みねじ６６を解除するとロッド６０がロッド支持部６２，６４に沿って摺動可能となり，上下のフィンガを同時に移動させることが可能となる。
【００３２】
図６は，保持手段４６を取り付けた支持フレーム１６の正面図である。この場合，ロッド６０が上向きに移動しているので，上下のフィンガ４８，５０は，パックが脚部４，６の間に位置する場合にパックの主要面と接触できない位置に移動している。図７は，図６の支持フレーム１６の側面図である。
【００３３】
図８は，第２形式の支持フレーム８０の正面図である。支持フレーム８０は，ねじ８１，８３，８５により昇降フレームの一方の脚部４に取り付けられる。同一の支持フレーム８０を他方の脚部６に取り付け可能であることは，言うまでもない。支持フレーム８０は，何れもクランク状とした第１の横フィンガ８２及び第２の横フィンガ８４を具える。横フィンガ用のリンク８６が，２本の垂直材２２及び２４に結合されている。図８において，支持フレームは全開位置にある。保持手段（例えばフィンガ）を，垂直材２２及び２４に取り付けることができる。
【００３４】
図９は，部分的な閉鎖位置にある図８の支持フレーム８０を示す正面図である。図２，３に示した調整リンク及びスパイダを，支持フレーム８０の開閉用として使用することが可能である。
【００３５】
図１０，１１は，保持手段４６を垂直材２４に取り付けた支持フレーム８０を示す。実際の支持昇降フレームは，他方の垂直材２２にも保持手段４６を取り付けている。図示しないが，昇降フレームの両脚部は，各垂直材に保持手段４６を取り付けた支持フレーム８０を具えている。
【００３６】
明確を期するため，図１２は，本発明に係る昇降フレームの一部だけを示す。昇降フレームは図１に示すような構成とされており，図１０及び１１に関連して説明した支持フレーム８０及び保持手段４６を有する。図１２に示すとおり，支持フレームはねじ８１，８３，８５により第１脚部４に結合されている。上側フィンガ４８及び下側フィンガ５０は，下方位置にある。
【００３７】
図１３は，本発明に係る昇降フレームの正面図である。昇降フレーム１００は，クロスメンバ１２に結合された２本の垂直脚部４，６を有する。脚部４の端部に足８が取り付けられ，脚部６の端部に足１０が取り付けられている。昇降フレーム１００は，脚部４に左側支持フレーム１０２が，脚部６に右側支持フレーム１０６が取付けられている。支持フレーム１０２，１０６は，図８，９に示す構成とされている。左側支持フレーム１０２に左前側作動手段１０４が設けられており，前側の左上保持手段１１０と前側の左下保持手段１１２とを結合している。また，右側支持フレーム１０６に右前側作動手段１０８が設けられており，前側の右上保持手段１１４と前側の右下保持手段１１６とを結合している。保持手段１１０，１１２，１１４，１１６は，全て下方位置にあり，脚部４，６の間に配置されて足８上に載置されるシート材パックの正面に接触させることが可能である。同様の構成とした保持手段が，昇降フレームの後部に関連して配置されている。これらの保持手段１１８，１２０，１２２，１２４も，全て下方位置にある。このような保持手段は，フレームが持ち上げられる際にパックを安定化させ，パックが足８，１０上で滑るのを防止するものである。
【００３８】
図１４は，図１３の昇降フレームを，脚部４及び６の間にシート材のパック１２６が位置する状態で示す。保持手段１１８，１２０，１２２，１２４はパック１２６の後面と接触し，
昇降フレームが持ち上げられる際にパックの店頭を防止すると共に，パックが足から滑落するのを防止す。脚部４，６は，それら間にパック１２６の主要面を収納できるように，十分な間隔で離隔している。
【００３９】
図１５は，図１３の昇降フレームにおける保持手段１１０，１１２，１１４，１１６が下方位置まで移動させた状態を示す。右側持手段は，解放ねじ６６ａ及び摺動ロッド６０ａにより下方位置まで上向きに移動している。同様に，右側保持手段は，解放ねじ６６ｂ及び摺動ロッド６０ｂにより下方位置まで上向きに移動している。ロッド６０ａ，６０ｂは，それぞれ締め付けねじ６６ａ及び６６ｂにより所定位置に固定可能である。明確を期するため，図１３，１４に示される後部保持手段を，図１５では省略した。
【００４０】
図１６は，保持手段が脚部に直接取り付けられる本発明の実施例１３０の斜視図である。同図は，以下の保持手段を示している。すなわち，前部左上側保持手段１３２，前分左下側保持手段１３４，全部右上側保持手段１３６，全部右上側保持手段１３８，後部右上側保持手段１４０，後部右下側保持手段１４２，後部左上側手段１４４及び後部左下側保持手段１４６である。各保持手段は，ねじ１４８により直接昇降フレームの脚部に固定する。保持手段は，ねじ１４８を中心として回動可能である。各保持手段にはハンドル１５０が設けられており，その操作によって保持手段を図示の下方位置と，上方位置との間で移動させることができる。その下方位置では，パックが足８，１０上に載置されているときに保持手段がパックの前後の主要面と接触可能であり，上方位置では保持手段がパックの主要面と接触することができない。各保持手段は，個別的に操作可能である。各安定化手段は，保持手段を貫通して脚部内に至るボルトにより，上方位置又は下方位置に保持可能とされている。この具体例にあっては，安定化手段によって安定化することのできるパックの幅は，前部の保持手段１３２，１３４，１３６，１３８及び後部の保持手段１４０，１４２，１４４，１４６の間隔を上回ることはできない。
【００４１】
図１７は，脚部２３０，２３２をクロスメンバ２３４に対して摺動可能に取り付けた本発明の実施例２２８を示す。この実施例においては，保持手段２３６，２３８，２４０，２４２を上方位置及び下方位置の間で移動可能とする必要はない。ガラスシート２４４のパックは，載置置（図示せず）上に積み重ねられる。昇降フレーム２２８を所定位置まで移動させてパックを２本の脚部２３０，２３２の間に位置決めする。脚部２３０，２３２を矢印で示す方向に摺動させて，下部の足２４６，２４８をパックの底部下方に位置させる。
【００４２】
図１８において，図１７の昇降フレームは，ガラスシート２４４のパックを持ち上げるべき位置まで移動している。脚部は十分に離隔しており，ガラスシートのパックが足２４６，２４８上に載置されており，パックの主要面が脚部の間で収められている。脚部２３０，２３２は，ボルト２５０，２５２によりクロスメンバ２３４に取り付けることができる。次に，昇降フレームを持ち上げ，パックを保持手段２３６，２３８，２４０，２４２により足上に保持する。昇降フレームを別の載置台まで移動させ，フレームを降下させてパックを第２載置台上に載置する。脚部はボルト２５０，２５２を緩めることにより解除し，パックを摺動させて側面から取り出し，フレームを持ち上げる。
【００４３】
図１９は，本発明の他の実施例を示す。本例の昇降フレーム２８２は，上部においてクロスメンバ２８８に取り付けられる２本の垂直脚部２８４，２８６を有する。脚部２８４の端部に足２９０が取り付けられ，脚部２８６の端部に足２９２が取り付けられている脚部２８４，２８６を十分に離隔させて，シート材のパックの主要面を脚部間に収容可能とする。昇降フレームをクレーン又はホイストに結合可能とするために，クロスメンバ２８８は持ち上げシャシ２９４を有する。クロスメンバ２８８に関連して，保持手段２９６，２９８，３００，３０２が設けられている。各保持手段２９６，２９８，３００，３０２は，垂直方向に移動可能である。その可動性を安定化手段２９６，２９８について破線で示す。保持手段は，リニアモータ２９６ａ，２９８ａ，３００ａ，３０２ａで駆動される。リニアモータはクロスメンバ２８８に固定されており，それぞれ個別的に駆動可能とされている。
【００４４】
比較例
欧州特許第００８０２６４号明細書に記載されている従来形式の持ち上げフレームを使用して，ガラスシートのパックを第１載置台から第２載置台まで移送し，第２載置台上に載置する際に向きを反転させた。
【００４５】
ガラスシートのパックは，前面及び後面を有する。このパックは，前面が第２載置台の直立部分と対向するように反転する必要がある。従来の昇降フレームは，パックに前面方向から接近するものである。
【００４６】
昇降フレームがガラスシートのパックを支持する位置にある場合，昇降フレームはパックの前面を妨げる。パックが足上に支持されている場合，昇降フレームは一時的な保持フレームまで移動させる。一時的な保持フレームは，底部と，２つの垂直な直立部分とを含む。各直立部分上には，前後のフィンガ支持体が取り付けられている。パックが２つの直立部分の間に位置するように昇降フレームを移動させると，前後のフィンガは垂直姿勢のパックを支持する位置まで移動する。
【００４７】
昇降フレームは，一時的な保持フレームにより支持された状態で，パックの他側まで移動させる。昇降フレームは，パックの後面側に向けて，パックを持ち上げ可能な位置まで移動させる。パックが昇降フレーム上に載置されると，一時的な保持フレーム上の前後のフィンガを所定位置から移動させる。更に，パックを，昇降フレームにより第２載置台に向けて移動させる。
【００４８】
次に，パックを第２載置台上に載置して，昇降フレームをパックから遠ざける。パックの向きは反転されている。すなわち，最初は載置台の直立部分から離反する側に位置していたパックの面が，反転後は直立部分に対向することとなる。
【００４９】
実施例１
被覆ガラスシートよりなる多数のパックを，被覆面が載置台の直立部分と対向するように載置台上に積み重ねた。載置台の底部はパックの主要面ほど広くないので，各パックは載置台のベースから突出していた。パックを床から持ち上げた。図１２に示す形式の昇降フレームを使用してパックを垂直軸線周りで１８０°回転させ，ガラスシートにおける被覆されていない側が直立部分と対向するように他の載置台まで移動させた。
【００５０】
使用した昇降フレームは，第１及び第２脚部を有し，第１脚部の底部に第１足が，また第２脚部の底部に第２足が取り付けられている。２本の脚部は，その上部においてクロスメンバに結合されている。昇降フレームをクレーンで移動させるため，クロスメンバには持ち上げシャシが取り付けられている。第１脚部には，当初は上方位置にある右前保持手段と，当初は下方位置にある右後保持手段とが取り付けられている。また，第２脚部には，当初は上方位置にある左前保持手段と，当初は下方位置にある左後保持手段とが取り付けられている。前側の保持手段が上方位置にあるため，昇降フレームを移動させてパックを第１及び第２脚部間に位置決めする際にパックの前面が妨げられず，足はパックの底部より低かった。また，後側の保持手段が下方位置にあるため，これらの保持手段は，パックが脚部間に位置決めされている場合にパックの前面と接触可能である。
【００５１】
昇降フレームを，パックの前面に対して垂直方向の位置まで移動させた。概して，パックは垂線に対して１０°未満の角度で傾斜している。パックが脚部間に位置決めされ，足がパック底部の下方に位置する状態で，後側の保持手段を下方位置まで移動させて当該保持手段をパックの後面に接触可能とした。次に，昇降フレームを持ち上げて下側の２本の足をパックの底部に接触させた。パックが垂線に対して傾斜しているため，昇降フレームを持ち上げる際にパックは，当初は後側保持手段上で支持される。パックの重量が足上で支持されると，昇降フレームが略垂直に垂下し，保持手段がパックの面と接触してパックを脚部上で保持することが可能である。
【００５２】
次に，昇降フレームを，パックにおけるシートの被覆されていない面が第２載置台の直立部分と対向するように，第２載置台に向けて移動させた。第２載置台は，第１載置台と直接対向する箇所に配置されている。第２載置台が第１載置台と隣接している場合には，昇降フレームを回転させることが可能である。
【００５３】
昇降フレームを移動させてパックの底部を第２載置台の底部上方に位置決めし，昇降フレームを降下させてパックの底部を載置台の底部と接触させた。次に，第２載置台の底部を傾けて，パックを載置台上に載置する際に，パックが垂線に対して１０°未満の角度で傾斜するようにした。昇降フレームを降下させてパックの底部を第２載置台の底部に接触させ，パックを前側の保持手段により一時的に保持した。パックを第２載置台における直立部分にもたれさせて第２載置台上に載置すると，前側保持手段を上方位置まで移動させ，将校フレームをパックの後面に対して直角方向に，パックから離間するように移動させた。その状態で，パックの向きは反転しており，パックの後面が最上位面となっていた。
【００５４】
図１２に示す昇降フレームを使用して，表１に示す寸法を有するフロートガラスのパックを持ち上げ，その向きを反転させた。各パックＡ〜Ｎにつき，全てのシートは同一である。
【００５５】
【表１】
2009539722.tif 000003
【００５６】
本発明に係る昇降フレームを使用して，６×３．２ｍの主要面を有するガラスパックを持ち上げた。パックは，ポートレート状態(縦長)又はランドスケープ状態(横長)で配置した。
【符号の説明】
【００５７】
２  昇降フレーム
４，６  脚部
８，１０  足
１２  クロスメンバ
１４  持ち上げシャシ
１６  支持フレーム
１８，２０  クロスメンバ
２２，２４  垂直材
２６，２８，３０，３２，３４，３６  リベット
３８  調整リンク
４０  スロット
４２  スパイダ
４６  保持手段
４８，５０  フィンガ
４８ａ，５０ａ  フィンガの本体部分
４８ｂ，５０ｂ  フィンガの端部
５２，５６  孔
５４，５８  スペーサ
６０，６０ａ，６０ｂ  ロッド  
６２，６４  ロッド支持部
６６  摘みねじ
６６ａ，６６ｂ  解放ねじ
６８，７２  スペーサ
７０，７４  孔
８０  支持フレーム
８１，８３，８５  ねじ
８２，８４  フィンガ
１００  昇降フレーム
１０２，１０６  支持フレーム
１０４，１０８  作動手段
１１０，１１２，１１４，１１６，１１８，１２０，１２２，１２４  保持手段
１２６  シート材のパック
１３０，１３２，１３４，１３６，１３８，１４０，１４２，１４４，１４６  保持手段
１４８  ねじ
２３０，２３２  脚部
２３４  クロスメンバ
２３６，２３８，２４０，２４２  保持手段
２４４  ガラスシート
２４６，２４８  足
２５０，２５２  ボルト
２８４，２８６  脚部  
２８８  クロスメンバ
２９０，２９２  足
２９４  持ち上げシャシ
２９６，２９８，３００，３０２  保持手段
２９６ａ，２９８ａ，３００ａ，３０２ａ  リニアモータ
【図１】
2009539722.tif 000004
【図２】
2009539722.tif 000005
【図３】
2009539722.tif 000006
【図４】
2009539722.tif 000007
【図５】
2009539722.tif 000008
【図６】
2009539722.tif 000009
【図７】
2009539722.tif 000010
【図８】
2009539722.tif 000011
【図９】
2009539722.tif 000012
【図１０】
2009539722.tif 000013
【図１１】
2009539722.tif 000014
【図１２】
2009539722.tif 000015
【図１３】
2009539722.tif 000016
【図１４】
2009539722.tif 000017
【図１５】
2009539722.tif 000018
【図１６】
2009539722.tif 000019
【図１７】
2009539722.tif 000020
【図１８】
2009539722.tif 000021
【図１９】
2009539722.tif 000022
【手続補正書】
【提出日】平成21年2月10日(2009.2.10)
【手続補正１】
【補正対象書類名】特許請求の範囲
【補正対象項目名】全文
【補正方法】変更
【補正の内容】
【特許請求の範囲】
【請求項１】
一縁部上に略垂直姿勢をもって載置されたシート材のパックを移送可能な昇降フレームであって：該昇降フレームを，その持ち上げ手段に取り付ける手段と；第１及び第２の脚部と；各脚部に取り付けられてパックの底部を支持する下部支持手段と；パックの移動時にパックを昇降フレーム上に保持するよう位置決めされる保持手段と；パックを昇降フレームから取り外し可能とする位置まで保持手段を移動させる解放手段とを具える昇降フレームにおいて，第１及び第２の脚部を十分に離隔させてそれらの間にパックの主要面を収容可能としたことを特徴とする昇降フレーム。
【請求項２】
パックを昇降フレームの何れの側からも取り外し可能とした，請求項１に記載の昇降フレーム。
【請求項３】
少なくとも一つの保持手段を各脚部に配置した，請求項１又は２に記載の昇降フレーム。
【請求項４】
保持手段を支持フレームに配置した，請求項３に記載の昇降フレーム。
【請求項５】
第１及び第２の脚部をクロスメンバに取り付けた，請求項１〜４の何れか一項に記載の昇降フレーム。
【請求項６】
第１及び第２の脚部をクロスメンバに固定した，請求項５に記載の昇降フレーム。
【請求項７】
保持手段をクロスメンバに取り付けた，請求項５又は６に記載の昇降フレーム。
【請求項８】
保持手段を支持フレームに取り付けた，請求項７に記載の昇降フレーム。
【請求項９】
保持手段をパックの一面又は両面と接触可能とした，請求項１〜８の何れか一項に記載の昇降フレーム。
【請求項１０】
保持手段をパックの面の縁部近傍で該面と接触可能とした，請求項９に記載の昇降フレーム。
【請求項１１】
解放手段により保持手段を第１及び第２位置間で切替えて，パックをフレームの何れの側からも取り外し可能とした，請求項１〜１０の何れか一項に記載の昇降フレーム。
【請求項１２】
脚部を固定間隔で離隔させた，請求項１１に記載の昇降フレーム。
【請求項１３】
少なくとも一対の対向する保持手段を具え，該保持手段をパックの対向する面と接触可能とした，請求項１〜１２の何れか一項に記載の昇降フレーム。
【請求項１４】
保持手段をフィンガ形状に形成した，請求項１〜１３の何れか一項に記載の昇降フレーム。
【請求項１５】
少なくとも一つの保持手段をパックの重心よりも上方に配置した，請求項１〜１４の何れか一項に記載の昇降フレーム。
【請求項１６】
第１及び第２の脚部を共面内に配置した，請求項１〜１５の何れか一項に記載の昇降フレーム。
【請求項１７】
脚部をクロスメンバに対して垂直に配置した，請求項１〜１６の何れか一項に記載の昇降フレーム。
【請求項１８】
請求項１〜１７の何れかに一項に記載の昇降フレームを使用して，一縁部上に略垂直姿勢をもって装架されたシート材のパックを移送する方法であって，第１及び第２の脚部間でパックを下部支持手段上に載置し，少なくとも一つの保持手段を位置決めしてパックを保持し，昇降フレームを持ち上げて所要の位置まで移動させ，解放手段を操作してパックを昇降フレームから取り外し可能とする移送方法。
【請求項１９】
パックをフレームの任意の側から取り外す，請求項１８に記載の移送方法。
【請求項２０】
パックにおける各シートの厚みを１〜２５ｍｍとする，請求項１８又は１９に記載の移送方法。
【請求項２１】
パックをガラスシートのパックとし，パックにおける各シートの厚みを１〜６ｍｍとする，請求項２０に記載のシート材パックの移送方法。
【国際調査報告】
2009539722.tif 000023
2009539722.tif 000024
2009539722.tif 000025
2009539722.tif 000026